(57)【要約】【課題】筐体に外部取付金具を取り付けて使用する場合において、取付金具に電荷が帯電しない構成を実現することで、基板の集積回路の誤作動を抑制できる画像投影装置を提供する。【解決手段】筐体は、外部取付金具と結合するためのインサート金具と、画像表示素子へ出力する信号を処理する基板を支持し、かつ接地される金属部材と、前記金属部材と前記インサート金具とを電気的に導通する導通部材と、を有する。  【選択図】図１
2012177757.tif 000002
【特許請求の範囲】
【請求項１】
外部取付金具と結合可能な画像投影装置であって、
前記外部取付金具と結合するためのインサート金具を備え、画像表示素子を内包する筐体と、
前記画像表示素子への出力信号を処理する基板を支持し、かつ接地される金属部材と、
前記金属部材と前記インサート金具を電気的に接続する導通部材と、
を有することを特徴とする画像投影装置。
【請求項２】
前記インサート金具は装置内部に金属部位を露出して配置されており、露出された前記金属部位は前記導通部材に接続されることを特徴とする請求項１に記載の画像投影装置。
【請求項３】
前記基板は、外部インターフェースから入力された信号を処理することを特徴とする請求項１または２に記載の画像投影装置。
【請求項４】
前記基板は、前記外部取付金具と平行に配置されることを特徴とする請求項１乃至３のいずれか１項に記載の画像投影装置。
【請求項５】
前記筐体は画像投影のための光学エンジンを内包しており、該光学エンジンは、装置厚み方向において、前記基板を挟んで前記外部取付金具と反対側に配置されることを特徴とする請求項１乃至４のいずれか１項に記載の画像投影装置。
【請求項６】
前記導通部材は、弾性変形可能であることを特徴とする請求項１乃至５のいずれか１項に記載の画像投影装置。
【請求項７】
前記導通部材は、金属バネ部材であることを特徴とする請求項６に記載の画像投影装置。
【請求項８】
前記導通部材は、ガスケットであることを特徴とする請求項６に記載の画像投影装置。
【発明の詳細な説明】
【技術分野】
【０００１】
本発明は、例えば天井下面から吊り下げ設置をするために使用する取付金具（天吊金具）を接続した状態において、静電気の影響を軽減する画像投影装置に関する。
【背景技術】
【０００２】
従来より、プロジェクタなどの画像投影装置では、光源から発せられた光に、画像表示素子より画像情報を付加し、外部スクリーンに投影している。このようなプロジェクタの内部には、外部インターフェースから入力される画像信号を処理し、画像表示素子を駆動する回路基板が存在している。
【０００３】
近年、機器のデジタル化が進み、様々なシーンで画像投影装置が活用されるようになり、その設置状況も多種多様に渡るようになってきた。こうした状況では、従来のように机の上に据え置いて投影させる使用方法に留まらず、外部取付金具（天吊金具）を用いて天井下面から吊り下げ設置することも多い。この場合、一般的には、特許文献１に示されているように、外部取付金具は、画像投影装置の筐体底面に設けられた螺子穴を利用して、画像投射装置とビス締結される。なお、視認されやすい外観面に螺子穴が配置されることは一般的にデザイン性の面から避けられており、多くは画像投影装置の筐体底面に螺子穴が設けられている。
【０００４】
このような構成において、外部インターフェースが製品上面側（高さ方向の天板側、即ち図中の下側）に配置された場合、外部入力ケーブルが目立ってしまい、外観を重視する設置場所においては、改善を求められていた。また、装置コストの観点から、外部インターフェースが画像処理基板上に実装されることが多い。
【０００５】
その為、結果として画像処理基板が、筐体底面側（天井側）へ配置されることがある。このような構成においては、筐体底面側より製品厚み方向に、筐体底面、画像処理基板、光学エンジン（光源からの光に画像情報を付加し、投影する光学ユニット）の順に装置内部がレイアウトされる。そのような構造において、特許文献１に示すように筐体底面に外部取付金具を取り付けた場合、筐体底面を境にして、外部取付金具と画像処理基板が対向配置する構成になる（図６）。
【先行技術文献】
【特許文献】
【０００６】
【特許文献１】特開２００８−１９７３８９号公報
【発明の概要】
【発明が解決しようとする課題】
【０００７】
ここで、外部取付金具８は一般的に機械強度が求められており、強固な金属板で構成されているため、電気容量が大きく、外部取付金具に静電気が蓄積した場合、大量の電荷Ｅを蓄積することになる。その結果、筐体底面７１（プラスチック材料）を挟んで対向する画像処理基板５に実装された信号パターン５１は例えば数ｋΩとインピーダンスが高い為、μＡオーダーの小さな誘導電流５２でも数Ｖもの電圧がかかってしまう。このため、基板上に実装されたＩＣ５３が誤作動を起こす可能性がある。
【０００８】
そこで、本発明の目的は、筐体に外部取付金具を取り付けて使用する場合において、外部取付金具に電荷が帯電しない構成を実現することで、画像処理基板の集積回路の誤作動を抑制できる画像投影装置を提供することにある。
【課題を解決するための手段】
【０００９】
上記目的を達成するために、本発明に係わる画像投影装置は、外部取付金具と結合可能な画像投影装置であって、前記外部取付金具と結合するためのインサート金具を備え、画像表示素子を内包する筐体と、前記画像表示素子への出力信号を処理する基板を支持し、かつ接地される金属部材と、前記金属部材と前記インサート金具を電気的に接続する導通部材と、を有することを特徴とする。
【発明の効果】
【００１０】
本発明によれば、外部取付金具と筐体をビス締結した際には、外部取付金具がインサート金具を介して接地されるため、外部取付金具に静電気による電荷が蓄積することが防止でき、結果として画像処理基板が誤作動を起こすことを防止できる。
【図面の簡単な説明】
【００１１】
【図１】本発明の第１の実施形態を説明するための模式図である。
【図２】第１の実施形態を説明するための主要部位全体図である。
【図３】画像処理基板と金属カバー部材と導通部材に関する部分拡大図である。
【図４】導通部材における電気の流れを示す部分拡大図である。
【図５】第１の実施形態に係わる画像投影装置におけるレイアウト図である。
【図６】従来構成における課題を説明するための図である。
【発明を実施するための形態】
【００１２】
以下に、本発明の実施形態を添付の図面に基づいて詳細に説明する。
【００１３】
《第１の実施形態》
（プロジェクタ筐体）
図５は、外部取付金具８にビスで結合可能なプロジェクタ筐体７の全体構成を装置横方向から見た場合の図を示している。Ｐ、Ｑ、Ｒは筐体７に内包される画像表示素子、１はランプである。２はランプ１、色分解合成光学系を含んで、特許文献２に示されるような縦型光学系を採用した光学エンジンユニットで、画像処理基板５を挟んで外部取付金具８と反対側に配置される。３は光学エンジンユニット２から照射される光を投影する投射レンズ、４は投射レンズ３をシフトする機構を有するレンズシフトユニットである。
【００１４】
図５に示すレイアウトは、光学エンジンユニット２はランプ光軸１ａと投射レンズ光軸３ａが大きく装置上下方向に異なる所謂縦型光学系である。縦型光学系を採用した場合、全体的な投影装置を小型化するために、光源１の上部付近のスペースへ金属カバー部材６で支持される画像処理基板５を配置する。その為、結果として画像処理基板５は製品下側（天井９側）、つまり外部取付金具８とビス締結される側へ配置することがスペース効率的に望ましく、装置の小型化を達成することができる。
【００１５】
更に、一般的に装置上側（図５における下方向）への投射画像シフト量が大きいことが設置の自由度を高めるため望まれている。その為、装置上側（図５における下方向）にランプ光軸１ａを、装置下側（図５における上側）に投射レンズ光軸３ａを配置することで、レンズシフト機構を備えた装置に関しても大型化を抑制できるレイアウトとしている。
【００１６】
また、画像処理基板５として外部インターフェースが実装された基板の場合、外部取付金具８に近い側に外部インターフェースが配置されることで、外部入力ケーブルが近くに設けられる外部取付金具８によりすぐに隠す処理を行うことができる。これにより、外観品位を損なわないレイアウトにできる。
【００１７】
このような理由より、外部入力ケーブルの外観品位を損なわない引き回しおよび、装置小型化を実現するために、画像処理基板５は装置底面側である外部取付金具８がビス締結される側に配置される構成となる。
【００１８】
（プロジェクタ筐体と外部取付金具の結合）
図１で７１はプロジェクタ筐体７の底面（プロジェクタは天井側に逆さ向きに配置される）である。１０はビスで天井９に天吊設置される外部取付金具８と筐体底面７１をビス締結するために用いられる。７２は外部取付金具８とビス１０で締結するために筐体７に設けられたインサート金具である。樹脂に対するネジ締結を行う場合、ネジ山ピッチの荒い樹脂用ネジを用いることが知られているが、繰り返し樹脂用のネジを着脱していると、樹脂が塑性変形し、破損してしまう。そこで、これを防止するために、予めインサート金具７２を樹脂部品に装着して、ネジ強度を確保している。
【００１９】
インサート金具７２は一体成型もしくは筐体を成型後に挿入されたものであり、インサートナットに代表されるような雌螺子が切られた金属部品である。外部取付金具８に設けた螺子穴８１を貫通して、ビス１０がインサート金具７２に締結されることで、外部取付金具８と筐体底面７１が機械的に強固に当接される。この時、インサート金具７２はフランジ付インサートナットのように、装置内部に（即ち筐体底面７１の内側）に金属部位が露出面７２ａとして現れるタイプのもので構成することが望ましい。
【００２０】
（画像処理基板と接地部材）
図１で、５は画像表示素子への出力信号を処理する基板であるが、外部インターフェースから入力された信号を画像処理する機能を備える。６１、６２は、画像処理基板５を支持しつつ、画像処理基板５のグラウンドをゼロ電位とするように接地するための金属部材としての金属カバー部材である。画像処理基板５は筐体底面７１と対向して配置され、接地された金属カバー部材６２とビス締結などによって接地される。金属カバー部材６２が、他の金属カバー部材６１とビス締結などで確実に電気接点を持てていれば、全体として金属カバー部材は複数部品で構成されるが、接地されていれば金属カバー部材６１と６２が一体化されていても良い。
【００２１】
（外部取付金具と接地部材との電気的接続）
次に、図１を用いて外部取付金具８と金属カバー部材６１、６２が電気的に接続されることを詳細に説明する。金属カバー部材６１および６２は画像処理基板５のグラウンドと電気的に接続され、かつ接地されている金属カバー部材である。１１はインサート金具７２と金属カバー部材６１を電気的に接続するための導通部材である。導通部材１１としては、例えば金属の板バネ（フィンガー）が取り付けられており、インサート金具７２の露出面７２ａと電気的に接続される。
【００２２】
こうすることで、外部取付金具８はビス１０―インサート金具７２−導通部材１１―金属カバー部材６１と複数の部品を介して接地される。そのため、静電気などが原因で外部取付金具８に飛び込んだ電荷Ｅ（図１）は上述した経路でグラウンドに流れ込むため、帯電することはない。電気の流れを矢印１２で示す。その結果、外部取付金具８と画像処理基板５が近接配置されたとしても、誘導電流を引き起こすことなく、画像処理基板５上の集積回路（ＩＣ）の誤作動を防止できる。
【００２３】
このような構成を実現することで、画像投影装置全体の小型化を実現しつつ、画像投影装置の設置作業者によらないアース接続を可能にし、誘導電流による誤作動のない高品位の画像投影装置を実現できる。
【００２４】
以上、本実施形態の構成を模式図を使って説明したが、その詳細図を図２乃至図４に示す。図２は本実施形態の主要部位の全体図、図３は図２中のＡ部詳細、図４は電気接続のための導通部材１１の一例とした外観図である。
【００２５】
図３、図４に示すように、導通部材１１は筐体底面７１と金属カバー部材６１との間に弾性変形可能に設けられるバネ部材で、筐体内部で組み込まれた際に、導通部材１１の弾性でインサート金具７２と金属カバー部材６１が接続される。一般的にインサート金具７２の露出面７２ａは露出部位が限定的で小さいのに対して金属カバー部材側は面積が大きいため、組立時にずれが生じないように、導通部材１１は組付け誤差を考慮して筐体底面７１側に取り付けられるのが望ましい。
【００２６】
本実施形態によれば、外部取付金具とプロジェクタ筐体をビス締結した際には、外部取付金具がインサート金具を介して接地されるため、外部取付金具に静電気による電荷が蓄積することが防止でき、結果として画像処理基板が誤作動を起こすことを防止できる。また、外部取付金具に筐体を取り付けた構成において、画像処理基板が天井に近く、外部からの入力ケーブルを外部取付金具できれいに処理でき、外部インタフェース用配線が目立ちにくい外観品位の高い設置を実現できる。更に、装置厚み方向の高さを抑制することが可能になる。
【００２７】
本実施形態と同様の効果を得るためには、例えば、外部取付金具に直接アースケーブルを接続して接地する、あるいは、外部取付金具を建物の鉄骨などへ電気的に接続することで無視できるくらい電気容量を増やすという対策が考えられる。しかし、この場合では、ケーブルが外観品位を劣化させてしまうのに加えて、ケーブルの接続や建物の鉄骨への接続が設置者任せになることから、画像処理基板の誤動作防止という観点からは不十分である。
【００２８】
（変形例）
上記実施形態では、画像処理基板５は外部取付金具８と平行に配置された場合について説明したが、本発明はこれに限られない。例えば、画像処理基板５が外部取付金具８と任意の角度を持って配置された場合でも、画像処理基板５から外部取付金具８までの距離や、外部取付金具８に帯電する電荷量によっては基板内の信号ラインが電気誘導される可能性もある。本発明はこのような構成においても有効である。
【００２９】
また、本実施形態では、インサート金具７２と金属カバー６１の電気的接続のための導通部材として金属バネ部材を用いて説明したが、本発明はこれに限られない。例えば、ガスケットのような導電布を用いた部材でも良い。なお、インサート金具７２と金属カバー６１の電気的接続のための導通部材は、筐体７や金属カバー部材６の位置バラツキを考慮すると、弾性体（前述した金属バネやガスケット）が望ましい。
【符号の説明】
【００３０】
１・・光源、２・・光学エンジンユニット、３・・投射レンズ、５・・画像処理基板、７・・プロジェクタ筐体、８・・外部取付金具、９・・天井、１０・・ビス、１１・・導通部材、１２・・電気の流れ、６１、６２・・金属カバー部材、７１・・筐体底面、７２・・インサート金具、Ｐ、Ｑ、Ｒ・・画像表示素子
【図１】
2012177757.tif 000003
【図２】
2012177757.tif 000004
【図３】
2012177757.tif 000005
【図４】
2012177757.tif 000006
【図５】
2012177757.tif 000007
【図６】
2012177757.tif 000008